(57)【要約】【課題】浴槽の上部を広く覆う蓋の着脱が不要で浴槽への出入りが面倒でなく、従来のミスト浴装置にない効果を得ることができるミスト浴装置を提供する。【解決手段】ミスト浴装置５は、浴槽部１０と、温水供給管３２、３４とを有し、温水供給管３４には、温水を霧状に噴射する噴射ノズルが設けられている。浴槽部１０は、表面に釉薬が施釉された陶器により形成され、底壁部１２と、底壁部１２の周縁から立設した側壁部１４と、側壁部１４の上端に形成された開口部２２とを有し、開口部２２の大きさが底壁部１２の内底面の大きさよりも小さく形成されており、側壁部１４の背面側には、開口部２２とつながった切欠部が設けられている。【選択図】図１
0003133523.tif 000002
【実用新案登録請求の範囲】
【請求項１】
ミスト浴を行うためのミスト浴装置であって、
表面に釉薬が施釉された陶器により形成された浴槽部で、浴槽部の底部を構成する底壁部と、底壁部の周縁から立設した側壁部と、側壁部の上端に形成された開口部とを有し、開口部の大きさが底壁部の内底面の大きさよりも小さく形成された浴槽部と、
浴槽部を貫通するとともに浴槽部の内部に設けられた温水供給管と、
浴槽部の内部に設けられた温水供給管に取り付けられた噴射ノズルで、温水供給管により供給された温水を霧状に噴射する噴射ノズルと、
を有することを特徴とするミスト浴装置。
【請求項２】
浴槽部の側壁部には、開口部につながった切欠部で、浴槽部内に出入りするための切欠部が設けられていることを特徴とする請求項１に記載のミスト浴装置。
【請求項３】
上記浴槽部における側壁部が、その正面側において、上方にいくに従い背面側に傾斜した傾斜部を有し、その背面側において、浴槽部内に出入りするための切欠部で、上記開口部とつながった切欠部を有することを特徴とする請求項１又は２に記載のミスト浴装置。
【請求項４】
上記浴槽部が、該側壁部の上端に連設された上面壁部で、底壁部の正面側の上側の領域を覆う上面壁部を有し、側壁部の上端に形成された開口部が側壁部の上端の背面側に設けられていることを特徴とする請求項１又は２に記載のミスト浴装置。
【請求項５】
上記浴槽部における底壁部が、略円形の平板状を呈し、側壁部が、その正面側において浴槽部内に出入りするための切欠部で、上記開口部とつながった切欠部を有することを特徴とする請求項１又は２に記載のミスト浴装置。
【請求項６】
上記浴槽部の内側の表面には、ラジウム鉱石の粉末を含有した釉薬が塗布されていることを特徴とする請求項１又は２又は３又は４又は５に記載のミスト浴装置。
【考案の詳細な説明】
【技術分野】
【０００１】
本考案は、ミスト浴装置に関するものである。
【背景技術】
【０００２】
従来より、浴室内にミストを噴霧するとともに、浴室内を暖房してミストサウナ浴を行なうことができるミスト装置が存在する（特許文献１）。
【０００３】
また、浴槽内にミストを発生させるものとして、浴槽の上端面に載置するスローイング装置及び蓋と、浴槽内に微細な水滴を吹き込む霧吹装置とを有する浴槽用健康器具が存在する（特許文献２）。
【特許文献１】特開２００２−３３６３２７号公報
【特許文献２】特開２００６−１３６３４９号公報
【考案の開示】
【考案が解決しようとする課題】
【０００４】
しかし、上記特許文献１のミスト装置においては、浴室内全体にミストを飛散させることから多くの量のミストを飛散させなければならないため、効率が悪いという問題があり、また、浴室内にミストを飛散させると、入浴者の眼、鼻、口内にミストが入るため入浴者が不快に感じるという問題があった。
【０００５】
特許文献２の浴槽用健康器具は、浴槽に蓋をして入浴者の頭部を出した状態でミスト浴を行なうので、特許文献１のように多くのミストを飛散させなければならないという問題はなく、また、入浴者の眼、鼻、口内にミストが入ることにより入浴者が不快に感じるおそれはないが、浴槽の上部全体が開口しているために広い面積を蓋で覆う必要があり、特に、入浴者が出入りする際に、浴槽の上部を広く覆う蓋を着脱しなければならないために浴槽への出入りが面倒であるという問題がある。
【０００６】
また、ミスト浴装置において、従来にない効果を得ることができるものが期待されていた。
【０００７】
そこで、本考案は、浴槽の上部を広く覆う蓋の着脱が不要で浴槽への出入りが面倒でなく、従来のミスト浴装置にない効果を得ることができるミスト浴装置を提供することを目的とするものである。
【課題を解決するための手段】
【０００８】
本考案は上記問題点を解決するために創作されたものであって、第１には、ミスト浴を行うためのミスト浴装置であって、表面に釉薬が施釉された陶器により形成された浴槽部で、浴槽部の底部を構成する底壁部と、底壁部の周縁から立設した側壁部と、側壁部の上端に形成された開口部とを有し、開口部の大きさが底壁部の内底面の大きさよりも小さく形成された浴槽部と、浴槽部を貫通するとともに浴槽部の内部に設けられた温水供給管と、浴槽部の内部に設けられた温水供給管に取り付けられた噴射ノズルで、温水供給管により供給された温水を霧状に噴射する噴射ノズルと、を有することを特徴とする。
【０００９】
この第１の構成のミスト浴装置においては、浴槽部内に座った状態で、温水供給管から温水を供給して、噴射ノズルから温水を霧状に噴射することによりミスト浴を行う。本考案のミスト浴装置によれば、開口部の大きさが底壁部の内底面の大きさよりも小さく形成されているので、浴槽部の底壁部の上側の領域の一部が覆われた状態になっており、わざわざ浴槽の上部を蓋部により覆う必要がなく、浴槽の上部を広く覆う蓋の着脱が不要で浴槽への出入りを容易とすることができる。また、浴槽部が陶器により構成されているので、温水のミストにより浴槽部が温められることにより、浴槽部から遠赤外線が発生し、身体を十分温めることができる。また、浴槽部が陶器により形成されていて、表面には釉薬が施釉されているので、洗浄が容易であり、また、浴槽部自体の劣化を防止することができる。このように、浴槽部が陶器で形成されていることにより、従来のミスト浴装置にない効果を得ることができる。なお、浴槽部における底壁部は略長方形状の平板状であるのが好ましい。
【００１０】
また、第２には、上記第１の構成において、浴槽部の側壁部には、開口部につながった切欠部で、浴槽部内に出入りするための切欠部が設けられていることを特徴とする。よって、この切欠部により、入浴者が出入りするための空間が広く形成されるので、浴槽への出入りをより容易とすることができる。
【００１１】
また、第３には、上記第１又は第２の構成において、上記浴槽部における側壁部が、その正面側において、上方にいくに従い背面側に傾斜した傾斜部を有し、その背面側において、浴槽部内に出入りするための切欠部で、上記開口部とつながった切欠部を有することを特徴とする。よって、傾斜部により、浴槽部の底壁部の上側の領域の一部が覆われた状態になり、わざわざ浴槽の上部を蓋部により覆う必要がなく、また、側壁部には、開口部につながった切欠部が設けられているので、浴槽への出入りを容易とすることができる。なお、浴槽部の底壁部は略長方形状の平板状とするのが好ましい。
【００１２】
また、第４には、上記第１又は第２の構成において、上記浴槽部が、該側壁部の上端に連設された上面壁部で、底壁部の正面側の上側の領域を覆う上面壁部を有し、側壁部の上端に形成された開口部が側壁部の上端の背面側に設けられていることを特徴とする。よって、上面壁部が設けられていることにより、浴槽部の底壁部の上側の領域の一部が上面壁部により覆われているので、わざわざ蓋部により覆う必要がなく、浴槽の上部を広く覆う蓋の着脱が不要で浴槽への出入りを容易とすることができる。なお、浴槽部の底壁部は略長方形状の平板状とするのが好ましい。
【００１３】
また、第５には、上記第１又は第２の構成において、上記浴槽部における底壁部が、略円形の平板状を呈し、側壁部が、その正面側において浴槽部内に出入りするための切欠部で、上記開口部とつながった切欠部を有することを特徴とする。よって、この切欠部により、入浴者が出入りするための空間が広く形成されるので、浴槽への出入りをより容易とすることができる。
【００１４】
また、第６には、上記第１から第５までのいずれかの構成において、上記浴槽部の内側の表面には、ラジウム鉱石の粉末を含有した釉薬が塗布されていることを特徴とする。これにより、マイナスイオンが発生し、身体に好適となる。
【考案の効果】
【００１５】
本考案に基づくミスト浴装置によれば、開口部の大きさが底壁部の内底面の大きさよりも小さく形成されているので、浴槽部の底壁部の上側の領域の一部が覆われた状態になっており、わざわざ浴槽の上部を蓋部により覆う必要がなく、浴槽の上部を広く覆う蓋の着脱が不要で浴槽への出入りを容易とすることができる。また、浴槽部が陶器により構成されているので、温水のミストにより浴槽部が温められることにより、浴槽部から遠赤外線が発生し、身体を十分温めることができる。また、浴槽部が陶器により形成されていて、表面には釉薬が施釉されているので、洗浄が容易であり、また、浴槽部自体の劣化を防止することができる。このように、浴槽部が陶器で形成されていることにより、従来のミスト浴装置にない効果を得ることができる。
【考案を実施するための最良の形態】
【００１６】
本考案においては、浴槽の上部を広く覆う蓋の着脱が不要で浴槽への出入りが面倒でなく、従来のミスト浴装置にない効果を得ることができるミスト浴装置を提供するという目的を以下のようにして実現した。
【実施例１】
【００１７】
本考案の実施例１に基づくミスト浴装置５は、図１〜図５に示すように構成され、浴槽部１０と、ミスト発生部３０とを有している。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である（他の実施例においても同じ）。
【００１８】
ここで、浴槽部１０は、下側領域を除き、上部にいくに従い縮径した形状を呈し、特に、上部にいくに従い正面側（Ｙ１側）が背面側（Ｙ２側）に縮径して前後方向の幅が小さくなる構成となっている。この浴槽部１０は、陶器により形成されている。つまり、浴槽部１０は、陶製である。
【００１９】
すなわち、浴槽部１０は、底壁部１２と、側壁部１４とを有していて、底壁部１２は、平板状（具体的には、略長方形状の平板状）を呈し、方形状の平板部の正面側に略半円状の平板部をつなげた形状を呈している。この底壁部１２には、浴槽部１０の内部の水を排水するための貫通穴１２ａが形成されている。
【００２０】
また、側壁部１４は、底壁部１２の周縁から上方に立設して設けられ、その正面側の部分は、下端位置から所定の高さ（浴槽部１０の高さの１／５〜１／３の高さ）までは正面側に傾斜するが、それよりも上方の領域では、上方に行くに従い背面側に傾斜した傾斜部１４ａを有している。つまり、側壁部１４の正面側の部分は、下側が正面側に尖った形状となっている。なお、側壁部１４の正面側の部分（具体的には、下側の尖った部分）には、温水供給管３２を通すための貫通穴が設けられている。また、側壁部１４の右側面側の部分は、図４に示すように、背面側は略平板状を呈するが、正面側の先端領域においては、左側面側に湾曲する形状を呈している。なお、側壁部１４の右側面側の部分の右側面視においては、図１に示すように、背面側の辺部は略垂直となっているが、正面側の辺部は、正面側の部分の形状に応じて、下側が尖っていて上方にいくに従い背面側に傾斜した形状となっている。また、側壁部１４の左側面側の部分は、側壁部１４の右側面側の部分と線対称に形成されている。
【００２１】
また、側壁部１４の背面側の部分は、略平板状を呈するが、図２に示すように、その上端から下側にかけて略方形状の切欠部２０が形成されている。これにより、側壁部１４の背面側の部分は、背面視においては、上方が開口した略コ字状を呈している。なお、側壁部１４の背面側の部分の両側の上端部分の外側には、背面側に突出した突状部１６が計一対形成されている。この突状部１６は、図１に示すように、正面側の略円板状の小径部１６ａと、該小径部１６ａの背面側に形成された略円板状の大径部１６ｂとから構成され、大径部１６ｂの径が小径部１６ａの径よりも大きく形成されている。また、側壁部１４の背面側の部分の両側の上端部分の内側には、正面側に突出した突状部１７が計一対形成されている。この突状部１７は、根本側の小径部と先端側の大径部とを有し、根本側よりも先端側が大径に形成されている。また、浴槽部１０の上端、すなわち、側壁部１４の上端に囲まれた部分は、開口していて、開口部２２が形成されている。この開口部２２の平面視における形状は、図４に示すように、方形状の正面側に半円をつなげた形状となっている。この開口部２２の背面側は、切欠部２０の上端とつながっている。
【００２２】
上記のように、側壁部１４の正面側の部分が背面側に傾斜した構成となっているので、底壁部１２の上側の領域の一部（具体的には、２０〜５０％）が覆われた構成となっている。これにより、開口部２２の大きさが底壁部１２の内底面の大きさよりも小さく形成された構成となっている。
【００２３】
浴槽部１０の高さは、図１、図２、図４に示すように内部に椅子４０を置いて座った状態で、入浴者の頭部が開口部２２から上方に露出するように設定されている。
【００２４】
浴槽部１０は、上記のように構成されていて、背面側の切欠部２０を除けば、全体に靴の形状に近似した形状をしており、略靴形状をしているといえる。
【００２５】
また、この浴槽部１０は、全体に陶器により一体に形成されていて、外側の表面及び内側の表面に釉薬が施釉されている。
【００２６】
次に、ミスト発生部３０は、温水供給管３２と、温水供給管３４とを有し、温水供給管３２は、直線状の管部で、側壁部１４における正面側の部分に設けられた穴部に挿通されている。この温水供給管３２の外側の端部には、温水供給装置が接続される。
【００２７】
また、温水供給管３４は、浴槽部１０内の下側の正面側領域に設けられ、温水供給管３２の端部に接続されている。この温水供給管３４は、図５に示すように、略コ字状を呈し、その端部や側面には、噴射ノズル３６が設けられている。よって、温水供給管３２に接続された温水供給装置から温水が所定の圧力（噴射ノズル３６からミストが噴射される程度の圧力）により供給されると、温水は、温水供給管３２から温水供給管３４に至り、噴射ノズル３６から温水のミスト（霧）が噴射されることになる。
【００２８】
なお、ミスト発生部３０における温水供給管３４は、略コ字状を呈し、浴槽部１０内の下側の正面側に設けられているものとして説明したが、浴槽部１０内の下側領域の側壁部１４の内側に沿って設けるようにしてもよい。
【００２９】
また、ミスト発生部３０には、噴射ノズル３６からの噴射量を制御するためのバルブを設けて、ミスト浴装置５を使用しない場合には、バルブを閉じ、一方、ミスト浴装置５を使用する場合には、ミストの量を調整できるようにするのが好ましい。なお、そのようなバルブは、ミスト発生部３０に設けなくとも、温水供給管３２の外側の端部に接続される部材（例えば、温水供給装置に接続された温水供給管）に設けるようにしてもよい。
【００３０】
上記構成のミスト浴装置５を製造するに際しては、まず、浴槽部１０を製造する。すなわち、素地用材料を浴槽部１０の形状に形成し、その外側の表面と内側の表面とに釉薬を塗布した後に焼成する。その際、浴槽部１０の内側に塗布する釉薬は、ラジウム鉱石の粉末が含有された釉薬を塗布する。以上のように浴槽部１０が製造されたら、ミスト発生部３０を浴槽部１０に取り付ける。
【００３１】
上記構成のミスト浴装置５の使用状態について説明する。使用に際しては、予め温水供給管３２の外側の端部に温水供給装置を接続して、ミスト発生部３０に温水を供給するようにする。また、ミスト浴装置５を使用する際には、図１、図２、図４に示すように、浴槽部１０内に椅子４０を設置し、図６に示すように、この椅子４０に座った状態で、ミスト発生部３０の噴射ノズル３６からミスト（霧）状の温水を発生させてミスト浴を行なう。ミスト浴装置５内に出入りするには、背面側の切欠部２０を通ればよい。なお、噴射されたミストを浴槽部１０内に充満するようにするため、図６に示すように、開口部２２の上部にタオル５０を掛けるとともに、一対の突状部１６にもタオル５２をかけて切欠部２０を覆うようにするのが好ましい。なお、側壁部１４の背面側の部分の内側にも突状部１７が設けられているので、この突状部１７にタオルを掛けることもできる。
【００３２】
以上のように、ミスト浴装置５によりミスト浴を行なうことにより、発汗を促すとともに、肌に水分を補給することができる。特に、ミスト浴は、身体への負担が少ないため、ドライサウナや通常の風呂に比べて長時間入浴することができ、身体を芯から温めることができる。
【００３３】
上記構成のミスト浴装置５においては、浴槽部１０の底壁部１２の上側の領域の一部が側壁部１４により覆われているので、わざわざ蓋部により覆う必要がなく、また、背面側に設けられた切欠部２０が設けられていることにより出入りが容易となるので、浴槽の上部を広く覆う蓋の着脱が不要で浴槽への出入りを容易とすることができる。
【００３４】
また、ミスト浴装置５の浴槽部１０が陶器により構成されているので、温水のミストにより浴槽部１０が温められることにより、浴槽部１０から遠赤外線が発生し、身体を十分温めることができる。また、浴槽部１０の内側の表面には、ラジウム鉱石の粉末を含有した釉薬が施釉されているので、ラジウムの微量放射線による電離作用によりマイナスイオンが発生し、身体に好適となる。また、浴槽部１０が陶器により形成されていて、表面には釉薬が塗布されているので、洗浄が容易であり、また、浴槽部１０自体の劣化を防止することができる。このように、浴槽部１０が陶器で形成されていることにより、従来のミスト浴装置にない効果を得ることができる。
【実施例２】
【００３５】
次に、本考案の実施例２に基づくミスト浴装置について説明する。実施例２のミスト浴装置は、上記実施例１のミスト浴装置と略同様の構成であるが、実施例１のように椅子を用いることなく、浴槽内に直接座るタイプであるため、上面側の開口部の正面側の部分が実施例１の場合よりも低く構成されている。
【００３６】
すなわち、実施例２のミスト浴装置１０５は、図７、図８に示すように構成され、浴槽部１１０と、ミスト発生部３０とを有し、浴槽部１１０は、下側領域を除き、上部にいくに従い縮径した形状を呈し、特に、上部にいくに従い正面側が背面側に縮径して前後方向の幅が小さくなる構成となっている。この浴槽部１１０は、陶器により形成されている。
【００３７】
すなわち、浴槽部１１０は、底壁部１１２と、側壁部１１４と、上面壁部１１６とを有していて、底壁部１１２は、平板状（具体的には、略長方形状の平板状）を呈し、方形状の平板部の正面側に略半円状の平板部をつなげた形状を呈しており、この底壁部１１２には、浴槽部１１０内の水を排水するための貫通穴が形成されている。
【００３８】
また、側壁部１１４は、底壁部１１２の周縁から上方に立設して設けられていて、その背面側（Ｙ２側）と左側面側（Ｘ１側）と右側面側（Ｘ２側）は底壁部１１２に対して略直角に立設しているが、正面側（Ｙ１側）は、背面側に若干傾斜して立設している。なお、側壁部１１４の正面側の部分には、温水供給管３２を通すための貫通穴が設けられている。
【００３９】
また、上面壁部１１６は、浴槽部１１０の正面側において、側壁部１１４により囲まれた空間をカバーするように形成されている。すなわち、上面壁部１１６は、側壁部１１４の右側面側の一部と、左側面側の一部と、正面側の上端をカバーするように形成されている。このように、側壁部１１４の正面側と右側面側と左側面側とで底壁部１１２の上部の領域の５０〜６０％が覆われている。これにより、開口部１２２の大きさが底壁部１１２の内底面の大きさよりも小さく形成された構成となっている。
【００４０】
また、浴槽部１１０の上端、すなわち、側壁部１１４の上端と上面壁部１１６の端部により囲まれた部分は、開口していて、開口部１２２が形成されている。この開口部１２２の平面視における形状は、図７に示すように、略半円状となっている。
【００４１】
なお、この浴槽部１１０の高さは、図８に示すように、底壁部１１２の上面に直接座った状態で、頭部が開口部１２２から上方に露出するように設定されている。
【００４２】
浴槽部１１０は、上記のように構成されていて、全体に靴の形状に近似した形状をしており、略靴形状をしているといえる。
【００４３】
また、この浴槽部１１０は、全体に陶器により一体に形成されていて、外側の表面及び内側の表面に釉薬が塗布されている。
【００４４】
また、ミスト発生部３０の構成は、実施例１の場合と同様の構成であるので、詳しい説明を省略する。
【００４５】
上記構成のミスト浴装置１０５を製造するに際しては、まず、浴槽部１１０を製造する。すなわち、素地用材料を浴槽部１１０の形状に形成し、その外側の表面と内側の表面とに釉薬を塗布した後に焼成する。その際、浴槽部１１０の内側に塗布する釉薬は、ラジウム鉱石の粉末が含有された釉薬を塗布する。以上のように浴槽部１１０が製造されたら、ミスト発生部３０を浴槽部１１０に取り付ける。
【００４６】
上記構成のミスト浴装置１０５の使用状態について説明する。使用に際しては、予め温水供給管３２の外側の端部に温水供給装置を接続して、ミスト発生部３０に温水を供給するようにする。そして、開口部１２２から浴槽部１１０内に入って座った状態で、ミスト発生部３０の噴射ノズル３６からミストを発生させてミスト浴を行なう。
【００４７】
以上のように、ミスト浴装置１０５によりミスト浴を行なうことにより、発汗を促すとともに、肌に水分を補給することができる。特に、ミスト浴は、身体への負担が少ないため、ドライサウナや通常の風呂に比べて長時間入浴することができ、身体を芯から温めることができる。
【００４８】
上記構成のミスト浴装置１０５においては、浴槽部１１０の底壁部１１２の上側の領域の一部が上面壁部１１６により覆われているので、わざわざ蓋部により覆う必要がなく、浴槽の上部を広く覆う蓋の着脱が不要で浴槽への出入りを容易とすることができる。
【００４９】
また、ミスト浴装置１０５の浴槽部１１０が陶器により構成されているので、温水のミストにより浴槽部１１０が温められることにより、浴槽部１１０から遠赤外線が発生し、身体を十分温めることができる。また、浴槽部１１０の内側の表面には、ラジウム鉱石の粉末を含有した釉薬が塗布されているので、マイナスイオンが発生し、身体に好適となる。また、浴槽部１１０が陶器により形成されていて、表面には釉薬が塗布されているので、洗浄が容易であり、また、浴槽部１１０自体の劣化を防止することができる。このように、浴槽部１１０が陶器で形成されていることにより、従来のミスト浴装置にない効果を得ることができる。
【実施例３】
【００５０】
次に、本考案の実施例３に基づくミスト浴装置について説明する。この実施例３のミスト浴装置は、実施例２のミスト浴装置と同様に、浴槽内に直接座るタイプであるが、入浴者の胸の位置よりも上方が露出するタイプのものである。
【００５１】
すなわち、実施例３のミスト浴装置２０５は、図９、図１０に示すように構成され、浴槽部２１０と、ミスト発生部３０とを有している。
【００５２】
ここで、浴槽部２１０は、底壁部２１２と、側壁部２１４とを有し、底壁部２１２は、略平板状を呈し、略円形の平板状を呈している。この底壁部２１２には、浴槽部２１０内の水を排水するための貫通穴が形成されている。
【００５３】
また、側壁部２１４は、底壁部２１２の周縁から外側の丸みを帯びた曲面状に立設していて、開口部２２２の大きさが底壁部２１２の内底面の大きさよりも小さく形成された構成となっている。なお、側壁部２１４の正面側（Ｙ１側）の部分には、温水供給管３２を通すための貫通穴が設けられている。
【００５４】
また、浴槽部１１０の上端には、略円形の開口部２２２が設けられているとともに、側壁部２１４の正面側には、略半円状の切欠部２２０が設けられていて、開口部２２２と切欠部２２０とはつながった状態となっている。
【００５５】
なお、この浴槽部２１０の高さは、図１０に示すように、底壁部２１２の上面に直接座った状態で、入浴者の胸から上方が開口部２２２から上方に露出するように設定されている。
【００５６】
また、この浴槽部２１０は、全体に陶器により一体に形成されていて、外側の表面及び内側の表面に釉薬が塗布されている。
【００５７】
また、ミスト発生部３０の構成は、実施例１の場合と同様の構成であるので、詳しい説明を省略する。
【００５８】
上記構成のミスト浴装置２０５を製造するに際しては、まず、浴槽部２１０を製造する。すなわち、素地用材料を浴槽部２１０の形状に形成し、その外側の表面と内側の表面とに釉薬を塗布した後に焼成する。その際、浴槽部２１０の内側に塗布する釉薬は、ラジウム鉱石の粉末が含有された釉薬を塗布する。以上のように浴槽部２１０が製造されたら、ミスト発生部３０を浴槽部２１０に取り付ける。
【００５９】
上記構成のミスト浴装置２０５の使用状態について説明する。使用に際しては、予め温水供給管３２の外側の端部に温水供給装置を接続して、ミスト発生部３０に温水を供給するようにする。そして、開口部２２２と切欠部２２０により構成された開口から浴槽部２１０内に入って座った状態で、ミスト発生部３０の噴射ノズル３６からミストを発生させてミスト浴を行なう。
【００６０】
以上のように、ミスト浴装置２０５によりミスト浴を行なうことにより、発汗を促すとともに、肌に水分を補給することができる。特に、ミスト浴は、身体への負担が少ないため、ドライサウナや通常の風呂に比べて長時間入浴することができ、身体を芯から温めることができる。
【００６１】
上記構成のミスト浴装置２０５においては、開口部２２２が設けられているとともに、切欠部２２０が設けられているので、浴槽への出入りを容易とすることができる。
【００６２】
また、ミスト浴装置２０５の浴槽部２１０が陶器により構成されているので、温水のミストにより浴槽部２１０が温められることにより、浴槽部２１０から遠赤外線が発生し、身体を十分温めることができる。また、浴槽部２１０の内側の表面には、ラジウム鉱石の粉末を含有した釉薬が塗布されているので、マイナスイオンが発生し、身体に好適となる。また、浴槽部２１０が陶器により形成されていて、表面には釉薬が塗布されているので、洗浄が容易であり、また、浴槽部２１０自体の劣化を防止することができる。このように、浴槽部２１０が陶器で形成されていることにより、従来のミスト浴装置にない効果を得ることができる。
【図面の簡単な説明】
【００６３】
【図１】本考案の実施例１に基づくミスト浴装置の構成を示す側方斜視図である。
【図２】本考案の実施例１に基づくミスト浴装置の構成を示す後方斜視図である。
【図３】本考案の実施例１に基づくミスト浴装置の構成を示す前方斜視図である。
【図４】本考案の実施例１に基づくミスト浴装置の構成を示す平面図である。
【図５】ミスト発生部の構成を示す要部斜視図である。
【図６】本考案の実施例１に基づくミスト浴装置の使用状態を示す後方斜視図である。
【図７】本考案の実施例２に基づくミスト浴装置の構成を示す前方斜視図である。
【図８】本考案の実施例２に基づくミスト浴装置の構成と使用状態を示す側面図である。
【図９】本考案の実施例３に基づくミスト浴装置の構成を示す前方斜視図である。
【図１０】本考案の実施例３に基づくミスト浴装置の構成と使用状態を示す側面図である。
【符号の説明】
【００６４】
５、１０５、２０５  ミスト浴装置
１０、１１０、２１０  浴槽部
１２、１１２、２１２  底壁部
１４、１１４、２１４  側壁部
１６、１７  突状部
２０、２２０  切欠部
２２、１２２、２２２  開口部
３０  ミスト発生部
３２、３４  温水供給管
３６  噴射ノズル
１１６  上面壁部
【図１】
0003133523.tif 000003
【図２】
0003133523.tif 000004
【図３】
0003133523.tif 000005
【図４】
0003133523.tif 000006
【図５】
0003133523.tif 000007
【図６】
0003133523.tif 000008
【図７】
0003133523.tif 000009
【図８】
0003133523.tif 000010
【図９】
0003133523.tif 000011
【図１０】
0003133523.tif 000012